(57)【要約】【課題】異物混入の防止が可能なプラズマディスプレイ装置を提供する。【解決手段】本発明によれば，前面及び背面基板を含むプラズマディスプレイパネル（ＰＤＰ）と，ＰＤＰの背面に配置されるシャーシベース１０７と，シャーシベースの背面に設けられるプリント基板組立体１０９と，前面及び背面基板に形成された電極に一端部がそれぞれ接続され，シャーシベースの背面に延びる複数の信号伝達ケーブル１０５ａ，１０５ｂと，シャーシベースの背面上に上記信号伝達ケーブルの他端部が接続されるバッファ基板１０６ａ，１０６ｂと，上記信号伝達ケーブルと上記バッファ基板とを内側に収容するように，シャーシベースの背面と平行に設けられる平面部１２０ａ，及びシャーシベースの背面の表面に接触するように，平面部１２０ａから直角に延設される側面部１２０ｂ，１２０ｃが形成されたカバープレート１２０とを含むプラズマディスプレイ装置が提供される。【選択図】図２
2006195458.tif 000002
【特許請求の範囲】
【請求項１】
前面基板および背面基板を含むプラズマディスプレイパネルと；
前記プラズマディスプレイパネルの背面に配置されるシャーシベースと；
前記シャーシベースの背面に設けられるプリント基板組立体と；
前記前面基板と前記背面基板とに形成された電極に一端部がそれぞれ接続され，前記シャーシベースの背面に延びる複数の信号伝達ケーブルと；
前記シャーシベースの背面上に，前記複数の信号伝達ケーブルの他端部が接続されるバッファ基板と；
前記複数の信号伝達ケーブルと前記バッファ基板とを内側に収容するように，前記シャーシベースの背面に対して平行に設けられる平面部，および前記シャーシベースの背面の表面に接触するように，前記平面部から直角に延設される側面部が形成されたカバープレートと；
を含むことを特徴とする，プラズマディスプレイ装置。
【請求項２】
前記カバープレートに，前記バッファ基板上に設けられたコネクタに前記信号伝達ケーブルの他端部を接続／接続解除させる作業を行うための，複数の第１作業孔が形成されることを特徴とする，請求項１に記載のプラズマディスプレイ装置。
【請求項３】
前記カバープレートに，前記バッファ基板から前記プリント基板組立体に延びる他の信号ケーブルを通過させる，複数の第２作業孔が形成されることを特徴とする，請求項１または２に記載のプラズマディスプレイ装置。
【請求項４】
前記カバープレートの側面部は，前記信号伝達ケーブルに混入する異物を遮断することを特徴とする，請求項１〜３のいずれかに記載のプラズマディスプレイ装置。
【発明の詳細な説明】
【技術分野】
【０００１】
本発明はプラズマディスプレイ装置に係り，より詳しくは，異物による信号伝達手段の汚染を防止することができるプラズマディスプレイ装置に関するものである。
【背景技術】
【０００２】
プラズマディスプレイ装置はガス放電現象を用いて画像を表示する平板ディスプレイ装置であって，薄型化が可能であり，広い視野角を有し，高画質の大型画面を具現することができるので，最近大型平板ディスプレイ装置として脚光を浴びている。プラズマディスプレイ装置には，ガラス基板で形成されたプラズマディスプレイパネル，および上記のパネルを支持するためのシャーシベースが設けられている。
【０００３】
図１は，通常のプラズマディスプレイ装置の一部を示す概略斜視図である。
【０００４】
図１に示すように，プラズマディスプレイパネルは，前面基板１１と背面基板１２を含み，上記の背面基板１２の背面には伝熱用シート１４が装着されている。プラズマディスプレイパネルは，通常アルミニウムのような金属材料から製作されたシャーシベース１７によって支持される。プラズマディスプレイパネルは，両面テープ１３を介してシャーシベース１７の前面に装着される。図１のように，両面テープ１３は，伝熱用シート１４に対応する部分を回避しながら，横方向および縦方向に延設される。シャーシベース１７の背面にはプリント基板組立体１９が取り付けられ，このプリント基板組立体１９は，スタッド１６によってシャーシベース１７の平面から離隔したままで支持される。プリント基板組立体１９上には多様な電子部品１８が設けられる。
【０００５】
信号伝達用ケーブル１５ａおよび１５ｂは，前面基板１１または背面基板１２に設けられた電極と，バッファ基板１６ａ，１６ｂに設けられた接続端子とを接続する役割を果たし，テープキャリアパッケージ（Ｔａｐｅ  Ｃａｒｒｉｅｒ  Ｐａｃｋａｇｅ：ＴＣＰ）を使用することができる。信号伝達用ケーブル１５ａ，１５ｂは，バッファ基板１６ａ，１６ｂに設けられたコネクタ１９ａ，１９ｂに接続される。また，バッファ基板１６ａ，１６ｂと印刷回路基板２１とを接続する信号伝達ケーブルおよびコネクタなども設けられる。
【０００６】
一方，上部および下部には，カバープレート２０がスクリューによって固定される。カバープレート２０は，シャーシベース１７の側面と背面から延長される信号伝達ケーブル１５ａを保護するために，第１面２１ａおよび第２面２１ｂを備える。すなわち，カバープレート２０がスクリューによってシャーシベース１７に組み立てられた時，カバープレート２０の内部には信号伝達ケーブル１５ａが収容されることができる。
【発明の開示】
【発明が解決しようとする課題】
【０００７】
しかしながら，図１に基づいて説明したプラズマディスプレイ装置において，カバープレート２０は，信号伝達ケーブル１５ａを保護することはできるが，信号伝達ケーブル１５ａの内側に異物が混入することを防止することができないという問題点があった。すなわち，プラズマディスプレイ装置の製造過程では，多様な形態の異物が発生する。例えば，スクリューを締め付ける時に発生する金属異物，印刷回路基板の切断時に切断面に残留する異物，そして作業者自分と作業環境で発生する異物などが，装置の取り扱い中や，製造運送過程の間に，信号伝達ケーブル１５ａとカバープレート２０との間に混入する可能性がある。このような異物は，信号伝達ケーブル１５ａに影響を及ぼして，製品の不良動作を引き起こすという問題点があった。
【０００８】
そこで，本発明は，このような問題に鑑みてなされたもので，その目的は，信号伝達ケーブル近傍への異物の混入を防止することが可能な，新規かつ改良されたプラズマディスプレイ装置を提供することにある。
【課題を解決するための手段】
【０００９】
上記課題を解決するために，本発明のある観点によれば，前面基板および背面基板を含むプラズマディスプレイパネルと，プラズマディスプレイパネルの背面に配置されるシャーシベースと，シャーシベースの背面に設けられるプリント基板組立体と，前面基板と背面基板とに形成された電極に一端部がそれぞれ接続され，シャーシベースの背面に延びる複数の信号伝達ケーブルと，シャーシベースの背面上に，複数の信号伝達ケーブルの他端部が接続されるように設けられるバッファ基板と，複数の信号伝達ケーブルとバッファ基板とを内側に収容するように，シャーシベースの背面に対して平行に設けられる平面部，およびシャーシベースの背面の表面に接触するように，平面部から直角に延設される側面部が形成されたカバープレートとを含むプラズマディスプレイ装置が提供される。
【００１０】
上記のカバープレートを設けることで，上記信号伝達ケーブルを保護することが可能となり，信号伝達ケーブル近傍への異物の混入を防止することができる。
【００１１】
上記のカバープレートに，バッファ基板上に設けられたコネクタに，信号伝達ケーブルの他端部を接続／接続解除させる作業を行うための，複数の第１作業孔が形成されてもよい。
【００１２】
上記のカバープレートに，バッファ基板からプリント基板組立体に延びる他の信号ケーブルを通過させる，複数の第２作業孔が形成されてもよい。
【００１３】
上記のカバープレートの側面部は，信号伝達ケーブルに混入する異物を遮断する役割を果たしてもよい。
【発明の効果】
【００１４】
本発明によれば，信号伝達ケーブル近傍への異物の混入による製品の不良を予め防止することが可能な，プラズマディスプレイ装置を提供することができる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
図２は本発明の第１の実施形態によるプラズマディスプレイ装置の概略分解斜視図である。
【００１７】
図２に示すように，プラズマディスプレイパネルは，前面基板１０１と背面基板１０２とを含み，背面基板１０２の背面には，伝熱用シート１０４が装着されている。プラズマディスプレイパネルは，通常アルミニウムのような金属材料から製作されたシャーシベース１０７によって支持される。プラズマディスプレイパネルは，両面接着テープ１０３を介してシャーシベース１０７の前面に装着される。図２のように，両面テープ１０３は，伝熱用シート１０４に対応する部分を回避しながら横方向および縦方向に延設される。シャーシベース１０７の背面にはプリント基板組立体１０９が取り付けられ，プリント基板組立体１０９はスタッド（図示せず）によってシャーシベース１０７の平面から離隔したままで支持される。プリント基板組立体１０９上には多様な電子部品１０８が設けられる。
【００１８】
信号伝達用ケーブルに相当する第１信号伝達ケーブル１０５ａ，１０５ｂは，その一端部に形成された接続端子（図示せず）が前面基板１０１と背面基板１０２に形成された電極（図示せず）にそれぞれ接続され，シャーシベース１０７の背面に延長される。第１信号伝達ケーブル１０５ａ，１０５ｂ上には，ＩＣチップ１２５が装着できる。第１信号伝達用ケーブル１０５ａ，１０５ｂの他端部に形成された接続端子（図示せず）は，バッファ基板１０６ａ，１０６ｂに設けられたコネクタ１０９ａ，１０９ｂにそれぞれ接続される。バッファ基板１０６ａ，１０６ｂは，シャーシベース１０７の背面上のプリント基板組立体１０９周辺に，それぞれ配置される。バッファ基板１０６ａ，１０６ｂと印刷回路基板１１１とは，他の信号伝達ケーブルに相当する第２信号伝達ケーブル１１５ａ，１１５ｂにより接続される。
【００１９】
本実施形態の特徴によれば，上記の第１信号伝達ケーブル１０５ａ，１０５ｂを保護するとともに上記第１信号伝達ケーブル１０５ａ，１０５ｂへの異物の流入を遮断することができる少なくとも一つのカバープレート１２０，１４０が設けられる。図２において，カバープレート１２０はシャーシベース１０７の上部と下部に配置され，カバープレート１４０はシャーシベース１０７の左側と右側にそれぞれ配置されたものである。
【００２０】
上部および下部カバープレート１２０には，上記のシャーシベース１０７の長軸方向に対して平行に伸びる平面部１２０ａと，この平面部１２０ａの上下両端部から直角に伸びる側面部１２０ｂ，１２０ｃとが設けられる。上記の上部および下部カバープレート１２０が定位置に配置されて固定されれば，第１信号伝達ケーブル１０５ａとバッファ基板１０６ａとがカバープレート１２０の内側に収容される。カバープレート１２０に設けられた上記側面部１２０ｂ，１２０ｃの一つは，その端部がシャーシベース１０７の表面と接触するように延長されることにより，異物がカバープレート１２０の内側に混入することを防止することができる。
【００２１】
図２において，カバープレート１２０の下部に設けられた側面部１２０ｂは，シャーシベース１０７の側面上に面接触するように配置される。これに対し，カバープレート１２０の上部に設けられた側面部１２０ｃは，その端部がシャーシベース１０７の背面の表面上に接触するように配置される。シャーシベース１０７の背面の表面上に接触された側面部１２０ｃの端部は，異物がカバープレート１２０の内側に混入することを防止する。
【００２２】
カバープレート１２０には，第１信号伝達ケーブル１０５ａが接続されるコネクタ１０９ａに対応して，複数の第１作業孔１３１が形成される。上記第１作業孔１３１を通じて，作業者は，例えば，第１信号伝達ケーブル１０５ａをコネクタ１０９ａに接続させる，または接続を解除させるなどの所定の作業を，行うことができる。一方，カバープレート１２０には，複数の第２作業孔１３２が形成されることができ，上記第２作業孔１３２を介して，第２信号伝達ケーブル１１５ａが延長されることができる。
【００２３】
図２において，カバープレート１２０は，上部および下部にのみ側面部１２０ｂ，１２０ｃが設けられ，カバープレート１２０の左側および右側部には側面部が設けられないものとして示されている。しかし，本発明において，カバープレート１２０に設けられる側面部は，図２に示した例に限定されるわけではなく，カバープレートの左側と右側にも側面部を設けることができる。
【００２４】
一方，左側および右側カバープレート１４０も，例えば，上部および下部カバープレート１２０と同様の構造を有する。図２において，左側および右側カバープレート１４０が定位置に配置されれば，第１信号伝達ケーブル１０５ｂとバッファ基板１０６ｂとがカバープレート１４０の内側に収容される。カバープレート１４０は，上下左右を全て取り囲む側面部１４５が設けられ，第１作業孔１５１と第２作業孔１５２とを有する。また，カバープレート１４０がシャーシベース１０７に取り付けられる時，シャーシベース１０７の側面部と干渉しないように，切欠き部１４５ａが形成されることができる。
【００２５】
カバープレート１４０の側面部１４５の少なくとも一つは，シャーシベース１０７の背面表面上に接触することにより，異物がカバープレート１４０の内部に混入することを防止する。また，カバープレート１４０に形成された第１作業孔１５１は，第１信号伝達ケーブル１０５ｂをコネクタ１０９ｂに接続させるか，または接続を解除させる作業を可能にし，第２作業孔１５２は，第２作業孔１５２を介して第２信号伝達ケーブル１１５ｂがバッファ基板１０６ｂからプリント基板組立体１１１に延長できるようにさせる。
【００２６】
図２においては，シャーシベース１０７の４辺に沿ってカバープレート１２０，１４０がそれぞれ設けられたものとして示されているが，カバープレートの配置は選択的に行える。例えば，上部，左側および右側のカバープレートを排除し，ただ下部のカバープレートのみ設けられることができる。これは，実際のプラズマディスプレイパネルの組立作業において，下部に配置された第１信号伝達ケーブル１０５ａ側に，異物の混入が集中的に生じる傾向があるからである。また，他の例においては，ただ上部および下部にだけカバープレートが配置されることができる。どのような場合にも，シャーシベース１０７の背面上の表面に接触する側面部１２０ｃまたは１４５を備えることにより，異物の混入を防止するようにしなければならない。
【００２７】
上記のように，本実施形態におけるプラズマディスプレイパネルでは，異物の混入を防止するとともに，信号伝達ケーブルの各基板への接続作業が可能となる。
【００２８】
また，異物の混入を防止する工程が容易になるので，製品生産性が向上するという利点がある。
【００２９】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３０】
本発明は，異物の混入を防止するとともに信号伝達ケーブルの接続作業を可能にするプラズマディスプレイパネルに適用可能である
【図面の簡単な説明】
【００３１】
【図１】通常のプラズマディスプレイ装置の一部を示す概略斜視図である。
【図２】本発明の第１の実施形態に係るプラズマディスプレイ装置の一部を示す概略分解斜視図である。
【符号の説明】
【００３２】
１１      前面基板
１２      背面基板
１３      両面テープ
１４      伝熱用シート
１５ａ，１５ｂ      信号伝達用ケーブル
１６      スタッド
１６ａ，１６ｂ      バッファ基板
１７      シャーシベース
１８      電子部品
１９ａ，１９ｂ      コネクタ
２０      カバープレート
２１      印刷回路基板
１０１      前面基板
１０２      背面基板
１０３      両面テープ
１０４      伝熱用シート
１０５ａ，１０５ｂ      第１信号伝達ケーブル
１０６ａ，１０６ｂ      バッファ基板
１０７      シャーシベース
１０８      電子部品
１０９      プリント基板組立体
１０９ａ，１０９ｂ      コネクタ
１１５ａ，１１５ｂ      第２信号伝達ケーブル
１２０，１４０      カバープレート
１２０ａ      平面部
１２０ｂ，１２０ｃ      側面部
１３１      第１作業孔
１３２      第２作業孔
１４５ａ      切欠き部
１５１      第１作業孔
１５２      第２作業孔
【図１】
2006195458.tif 000003
【図２】
2006195458.tif 000004